(57)【要約】【課題】  カバーガラスのメータ本体への固定部分を積極的に見せられるようなものとする。【解決手段】  円筒状のメータ本体１の端面にカバーガラス３０を当接配置し、メータ本体１の側面に周方向複数取付けた爪部材３１を用いてカバーガラス３０を係止保持させるようにしている。【選択図】        図１
2005091207.tif 000002
【特許請求の範囲】
【請求項１】
円筒状のメータ本体の端面にカバーガラスを当接配置し、メータ本体の側面に周方向複数取付けた爪部材を用いてカバーガラスを係止保持させたことを特徴とする車両用表示装置。
【請求項２】
メータ本体に対し、周方向複数の爪部材が、同時・均圧締付機構を介して取付けられたことを特徴とする請求項１記載の車両用表示装置。
【請求項３】
カバーガラス内面のメータ本体端面との当接部分に、メータ本体と同色の着色層を形成したことを特徴とする請求項１または２記載の車両用表示装置。
【請求項４】
前記着色層とメータ本体端面との間に、粘着性層を形成したことを特徴とする請求項１ないし３のいずれか１項に記載の車両用表示装置。
【発明の詳細な説明】
【技術分野】
【０００１】
この発明は、車両用表示装置に関するものである。
【背景技術】
【０００２】
自動車などの車両では、車室内の前部にメータなどの車両用表示装置が設けられている。このような車両用表示装置は精密機器であるため、保護用に表面がカバーガラスで覆われている。
【０００３】
従来の車両用表示装置では、カバーガラスには、透明なアクリル樹脂を用いるのが一般的である。このカバーガラスは、ビス止めや、カシメ止めや、樹脂爪係止構造や、メータ本体との一体成形、などによってメータ本体に固定されている（例えば、特許文献１参照）。
【特許文献１】実開平０５−０５９２４４号公報
【発明の開示】
【発明が解決しようとする課題】
【０００４】
しかしながら、上記車両用表示装置では、カバーガラスのメータ本体への固定部分は、通常は、外部からは見えないように隠されており、上記固定部分を積極的に見せるようにしたものはほとんど存在しなかった。
【課題を解決するための手段】
【０００５】
上記課題を解決するために、請求項１に記載された発明では、円筒状のメータ本体の端面にカバーガラスを当接配置し、メータ本体の側面に周方向複数取付けた爪部材を用いてカバーガラスを係止保持させたことを特徴としている。
【０００６】
請求項２に記載された発明では、メータ本体に対し、周方向複数の爪部材が、同時・均圧締付機構を介して取付けられたことを特徴としている。
【０００７】
請求項３に記載された発明では、カバーガラス内面のメータ本体端面との当接部分に、メータ本体と同色の着色層を形成したことを特徴としている。
【０００８】
請求項４に記載された発明では、前記着色層とメータ本体端面との間に、粘着性層を形成したことを特徴としている。
【発明の効果】
【０００９】
請求項１の発明によれば、円筒状のメータ本体の端面に当接配置したカバーガラスを、メータ本体の側面に周方向複数取付けた爪部材で保持することにより、宝石のような質感を有する美しいメータを得ることができる。
【００１０】
請求項２の発明によれば、メータ本体に対してカバーガラスを取付ける際に、同時・均圧締付機構を用いることにより、周方向複数の爪部材を、同時、且つ、均等な圧力で締め付けられるようにすることが可能となる。
【００１１】
請求項３の発明によれば、カバーガラス内面のメータ本体端面との当接部分に、形成したメータ本体と同色の着色層により、カバーガラスをメータ本体端面に押付けることによって発生される干渉縞の問題を解消することができる。
【００１２】
請求項４の発明によれば、着色層とメータ本体端面との間に、粘着性層を形成して密着させることにより、カバーガラスとメータ本体端面との隙間からメータ本体内部への湿気や塵の入り込みを防止することができる。
【発明を実施するための最良の形態】
【００１３】
カバーガラスのメータ本体への固定部分を積極的に見せられるようにするという目的を、円筒状のメータ本体の側面に周方向複数取付けた爪部材を用いてカバーガラスを係止保持させる、という手段で実現した。
【実施例】
【００１４】
以下、本発明を具体化した実施例について、図示例と共に説明する。
【００１５】
図１〜図６は、この発明の実施例を示すものである。
【００１６】
まず、構成を説明すると、円筒状のメータ本体１を設ける。このメータ本体１は、先端に開口部２を有しており、基端は底板部３によって閉口されている。メータ本体１の側面の略中央部には、爪部材取付孔４が周方向複数箇所（図では、４箇所となっているが、３箇所以上であれば良い）貫通形成されている。そして、メータ本体１内面の各爪部材取付孔４に対応する部分には、各爪部材取付孔４を覆う側面視略Ｌ字状のリング係止部５が設けられている。リング係止部５の側面は開放されている。そして、メータ本体１の底板部３におけるリング係止部５とは周方向に位相の異なる位置には、回路基板６をビス７などの固定部材を用いて固定するためのボス８が立設形成されている。
【００１７】
回路基板６には、各種の回路部品９が取付けられていると共に、その中心部には指針１５を回動するための駆動装置１６が取付けられている。駆動装置１６としては、交差コイル式ムーブメントやステッピングモータなどが用いられる。そして、この駆動装置１６に対して文字板１７がビス１８などの固定部材を用いて取付けられており、文字板１７に形成された指針軸孔１９から駆動装置１６の出力軸２０が突出されて、この出力軸２０の先端に指針１５が取付けられるようになっている。なお、文字板１７、指針１５などの構成については、任意のものとすることができる。また、文字板１７に対する照明などを行い得るようにしても良い。文字板１７の外周部には、メータ本体１の先端に取付可能なメータ本体先端部材２３がビス２４などの固定部材を用いて取付けられている。このメータ本体先端部材２３は、略リング状をしており、メータ本体１の先端に対して嵌合固定可能な形状とされている。
【００１８】
この実施例のものでは、円筒状のメータ本体１の端面にカバーガラス３０を当接配置し、メータ本体１の側面に周方向複数取付けた爪部材３１を用いてカバーガラス３０を保持させるようにする。ここで、カバーガラス３０を当接されるメータ本体１の端面は、メータ本体１とは、別部材で構成されたメータ本体先端部材２３とされている。
【００１９】
上記カバーガラス３０には、特に、高級感のあるクリスタルガラスなどの厚手のものを用いるのが好ましい。爪部材３１には、金属製のものを用いる。この金属製の爪部材３１には、特に、プラチナや銀などの質感を有する表面処理を施すのが好ましい。爪部材３１は、メータ本体１の外周面に対して軸線方向へ延びる爪部材本体３２と、爪部材本体３２先端に形成されてカバーガラス３０を係止可能な爪部３３と、爪部材本体３２の略中央部に形成されて爪部材取付孔４へ挿入可能なフック部３４とを有している。このフック部３４は上記したリング係止部５と対向する方向へ向けられている。
【００２０】
そして、メータ本体１に対し、周方向複数の爪部材３１が、同時・均圧締付機構３５を介して取付けられるようにする。
【００２１】
同時・均圧締付機構３５は、例えば、メータ本体１の内周に沿って配置されると共に、リング係止部５とフック部３４との間に挟着保持されるリング部３６を有している。そして、このリング部３６の各フック部３４と対応する部分に対して、爪部材３１の爪部３３をメータ本体１の端面に向かって近接させるカム部３７をそれぞれ設ける。この複数のカム部３７は、カバーガラス３０締付位置にてフック部３４を安座させる平行部３８と、平行部３８へ向けてフック部３４を徐々に案内する傾斜部３９とを有している。そして、カム部３７に対して弾力性を付与するスリット４０を形成する。また、リング部３６のカム部３７を避けた位置にリング部３６を回動するための手掛りとなる操作部４１を適数形成する。
【００２２】
また、カバーガラス３０内面のメータ本体１端面との当接部分に、メータ本体１（およびメータ本体先端部材２３）と同色の着色層４５を形成する。この着色層４５は、例えば、印刷によって形成する。ここで、メータ本体１およびメータ本体先端部材２３は、例えば、金属調塗装とし、これに合わせて着色層４５も金属調塗装とするのが好ましい。
【００２３】
更に、着色層４５とメータ本体１端面との間に、粘着性層４６を形成する。この粘着性層４６は、例えば、印刷によって形成する。粘着性層４６は、カバーガラス３０内面に形成しても、メータ本体先端部材２３に形成しても良いが、この実施例では、カバーガラス３０内面における着色層４５に重ねて形成されている。
【００２４】
次に、この実施例の作用について説明する。
【００２５】
この実施例にかかる車両用表示装置は、以下のようにして組立てる。即ち、回路基板６に設けられた駆動装置１６に対して文字板１７および指針１５を取付け、更に、文字板１７の周囲にメータ本体先端部材２３を取付けたものを、メータ本体１の先端側から挿入し、メータ本体先端部材２３をメータ本体１の先端に嵌着固定すると共に、回路基板６をボス８にビス７で固定する。
【００２６】
次に、メータ本体１の基端側からリング係止部５に同時・均圧締付機構３５のリング部３６を挿着し、メータ本体１の先端にカバーガラス３０を当接配置すると共に、爪部材取付孔４にフック部３４を挿入することにより爪部材３１をメータ本体１の側面に取付ける。この状態で、同時・均圧締付機構３５をフリーにすると、同時・均圧締付機構３５が自重で下がってフック部３４に係止されるので、爪部材３１は外れない程度に保持される。
【００２７】
最後に、操作部４１を利用して同時・均圧締付機構３５のリング部３６を回動することにより、カム部３７を利用して爪部材３１の爪部３３をメータ本体１の端面に向かって近接させ、複数の爪部材３１で同時にカバーガラス３０の各部を保持させるようにする。この際、カム部３７の傾斜部３９がフック部３４を徐々に案内し、平行部３８がカバーガラス３０締付位置にてフック部３４を安座させる。そして、同時・均圧締付機構３５に設けられたスリット４０がカム部３７に対して弾力性を付与することにより、複数の爪部材３１で均圧的にカバーガラス３０の各部を保持させるようにする。
【００２８】
このように、この実施例によれば、円筒状のメータ本体１の端面に当接配置したカバーガラス３０を、メータ本体１の側面に周方向複数取付けた爪部材３１で保持することにより、宝石のような質感を有する美しいメータを得ることができる。
【００２９】
メータ本体１に対してカバーガラス３０を取付ける際に、同時・均圧締付機構３５を用いることにより、周方向複数の爪部材３１を、同時、且つ、均等な圧力で締め付けられるようにすることが可能となる。
【００３０】
カバーガラス３０内面のメータ本体１端面との当接部分に、形成したメータ本体１と同色の着色層４５により、カバーガラス３０をメータ本体１端面に押付けることによって発生される干渉縞（特に、金属調塗装を施している場合に顕著である）の問題を解消することができる。
【００３１】
着色層４５とメータ本体１端面との間に、粘着性層４６を形成して密着させることにより、カバーガラス３０とメータ本体１端面との隙間からメータ本体１内部への湿気や塵の入り込みを防止することができる。
【００３２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３３】
【図１】本発明の実施例にかかる車両用表示装置の側方断面図である。
【図２】図１のメータ本体の斜視図である。
【図３】図２の平面図である。
【図４】図１の部分拡大図である。
【図５】爪部材とカバーガラスとの関係を示す斜視図である。
【図６】爪部材と同時・均圧締付機構との関係を示す斜視図である。
【符号の説明】
【００３４】
１    メータ本体
３０  カバーガラス
３１  爪部材
３５  同時・均圧締付機構
４５  着色層
４６  粘着性層
【図１】
2005091207.tif 000003
【図２】
2005091207.tif 000004
【図３】
2005091207.tif 000005
【図４】
2005091207.tif 000006
【図５】
2005091207.tif 000007
【図６】
2005091207.tif 000008